(57)【要約】      （修正有）【課題】紙製椅子について、ゴミ容量の軽減化を考慮したコンパクト梱包で、かつ継手部材及び伸長脚材などの別途梱包部材の追加使用で、全体の脚部高さ調整を可能にした携帯用使い捨て組立椅子を提案する。【解決手段】山折、谷折の交互に折り曲げた波型形状の脚材を三角トラス近似形状にし、縦方向の座屈耐荷重の向上を考案した同脚材において、上部を座板に差し込み、下部に帯板面材を差し込み貫通させ、一体になった剛性構造を形成する。同時に山折、谷折の形状をいかしたコンパクト梱包及びゴミ容量の軽減化を可能にする。さらに考案した継手部材に差し込む連設は、別途伸長脚材及び波型形状脚材の両脚材と近似形状であるため接続面の多面性及び摩擦力が向上し、安定した支持応力を持たせる継手構造となり、全体の高さ調整を可能にする。【選択図】      図７
2004357911.tif 000002
【特許請求の範囲】
【請求項１】
段ボール又は厚紙製の板形状材で山折、谷折の交互に折り曲げた波型形状の脚材を図１のように作成し、三角トラス近似形状にすることで縦方向の座屈耐荷重の向上を考案した同脚材において、上部を座板（図２）に差し込み、脚材下部形状補強ための帯板面材を図３のように作成し、下部に差し込んで貫通させ、前記波型形状脚材、座板及び帯板面材の各部一体になった剛性構造並びに山折、谷折の交互に折り曲げた波型形状をいかしたコンパクト梱包（図１０）及びゴミ容量の軽減化を特徴とする携帯用使い捨て組立椅子。
【請求項２】
山折、谷折の交互に折り曲げた前記波型形状の脚材（図１）の下部において、継手部材を段ボール又は厚紙製にて図４のように作成し、全体の脚高さ伸長の調整ついて、別途伸長脚材及び請求項１に記載の同脚材（図１）をその考案した同継手部材に、脚（縦）方向へそれぞれ差し込んで図５のように連設することにより、両脚材と近似形状であるため接続面の多面性及び摩擦力が向上することから、同脚材（図１）から受ける荷重に対して安定した支持応力を持たせることを可能にした継手構造を特徴とする携帯用使い捨て組立椅子。
【発明の詳細な説明】
【０００１】
【発明が属する技術分野】
本発明は、段ボール又は厚紙を素材としてなる椅子に関するものである。特にセカンドバック等の小物入れに携帯できるコンパクトなデザインから、場所又は会場の特定しない幅広い機会に椅子として適する使い捨て組立椅子に関する。
【０００２】
【従来の技術】
紙製の椅子は、軽量で材料費が安価しかも大量に生産、運搬が容易であるため簡易組立椅子の用途が従来から多く、使い捨て椅子の代表的なものである。
【０００３】
しかし、段ボール又は厚紙からなる使い捨て組立椅子は、屋外会場等での実用上、短時間の利用が多いなか強度過大な構造の傾向になり，手軽な同組立椅子が少ない。また社会は環境保全の面から焼却をさけゴミ容量のコンパクト化や減量化が優先される形態が望まれているなか、従来の段ボール又は厚紙製組立椅子は使い捨ての時、具体的処分形状を考慮したものは少ない（例えば、特開平０９−３２２８３９号公報参照）。
【０００４】
ところで、段ボール又は厚紙からなる組立椅子は脚部の一定のものが多く（例えば、特開平１１−１８７９５１号公報、特開平１０−０５２３３８号公報など参照）、高さが人によって調整できる構造は、座屈耐荷重性からかなり厳しい材質のため少ない。しかし脚部の伸長機能は、長寿社会の幅広い世代による身長格差を生む現状のなか必要事項としている。
【０００５】
【発明が解決しようとする課題】
そこで、本発明の目的は、上記従来の段ボール又は厚紙製の椅子の欠点を解決しようとするものであり、コンパクトな梱包で使い捨ての時もコンパクト化が容易にできる座屈耐荷重性を向上させた設計により、短時間の休憩をどこでも手軽にできる携帯用使い捨て組立椅子並びに継手部材及び伸長脚材などを１つのコンパクト梱包した別途部材の追加使用により、簡単な模型組立感覚で全体の脚部高さの調整及び改良利用ができる携帯用使い捨て組立椅子の提案をしようとするものである。
【０００６】
【課題を解決するための手段】
上記目的を達成するために、本発明の携帯用使い捨て組立椅子は、材質が段ボール又は厚紙製の板形状材で山折、谷折の交互に折り曲げた波型形状の脚材を図１のように作成し、三角トラス近似形状にすることで縦方向の座屈耐荷重の向上を考案した同脚材において、上部を座板である図２に半分程度の厚さまで差し込み、脚材下部形状補強ための帯板面材を図３のように作成し、下部に差し込んで５ｃｍ程度貫通させ、前記波型形状脚材、座板及び帯板面材の各部一体になった剛性構造並びに山折、谷折の交互に折り曲げた波型形状をいかしたコンパクト梱包（図１０）及びゴミ容量の軽減化を特徴とする（図７参照）。
【０００７】
また本発明の前記携帯用使い捨て組立椅子の山折、谷折の交互に折り曲げた前記波型形状の脚材（図１）の下部において、継手部材を段ボール又は厚紙製にて図４のように作成し、全体の脚高さ伸長の調整について、別途伸長脚材及び同脚材（図１）をその考案した同継手部材に、脚（縦）方向へそれぞれ差し込んで図５のように連設することにより、両脚材と近似形状であるため接続面の多面性及び摩擦力が向上することから、同脚材（図１）から受ける荷重に対して安定した支持応力を持たせることを可能にした継手構造を特徴とする。また継手固定枠材は段ボール又は厚紙製の平板形状材を複数枚接面するように重ねて図６のように作成及び配置し、継手部材（図４）の形状保持を目的とした継手部材補助機能及び脚中部の帯板機能を合わせもつことを特徴とする（図８参照）。
【発明の実施の形態】
【０００８】
次に本発明の実施の形態を図面参照して説明する。図１は、段ボール又は厚紙製の板形状材で山折、谷折の交互に折り曲げた波型形状の脚材の状況を示すもので１面性に多面の方向性を持たせることで座屈耐荷重の向上を図るものであり全体図において図７ａの部分及び図８ａの部分を示す。また同脚材（図１）上部は図２に示す座板の溝に差し込むことで、脚の設計形状保持及び座板との連続性の保持が可能な構造とする。さらに同脚材（図１）は、既に山折、谷折の交互に折り曲げた波型形状の強く形成された状態からの組立になるため前記溝への差し込みを容易にし、コンパクト梱包及びゴミ容量の軽減化を同時に可能にしたものである。
【０００９】
また図２は、座板部分を示すもので波型形状脚材（図１）の脚材上部の差し込みをうける溝を有する。溝の深さは座板下部から半分程度とし、滑動を防止して同脚材（図１）上部との一体化を図るものである。
【００１０】
図３は、通常は椅子の部分で帯板の役割をするものである。この帯板面材は座板の溝部分と同じ位置に切欠きを有し、同座板と平行にセットして波型形状脚材（図１）下部から同切欠き部分を使用して差し込み５ｃｍ程度貫通させ、座板方向に移動した同位置で同脚材（図１）下部の設計形状の保持及びねじれ低減の両機能を合わせ持つものであり、厚みは座板厚の半分程度とする。以上３つの構成部材が基本である。
【００１１】
通常の利用形態は上記３つの構成部材であり、組立手順は、座板の２つ折の梱包状態を一直線になるよう水平に広げ、同座板溝に波型形状脚材（図１）を一折づつ差し込み、同脚材（図１）下部から帯板面材を同様に一折づつ差し込み、貫通させることで完成となる。また関連して図１０は、セカンドバック等で手軽に持ち運べるよう、また加えて波型形状の強度低下防止を考慮した前記３つの基本構成部材を、１つのコンパクト梱包の様子を示したもので、携帯性の向上を意図した梱包になっている。
【００１２】
図４の継手部材は、山折、谷折に折り曲げた波型形状の脚材に合わせ、同様な山折、谷折に折り曲げた波型の形状を有し、かつ脚（縦）方向とは直交する水平方向にも山折、谷折に折り曲げた特徴をもつ脚部継手である。同継手部材を使用した伸長脚材及び波型形状脚材（図１）の両脚材との連設は、近似形状であるため接続面の多面性及び摩擦力が向上することから、同脚材（図１）から受ける荷重に対し安定した支持応力を持つ継手構造となる。また関連する図９は、継手部材使用位置及び形状を平面的に示したものであり、同継手部材のバランスの取れた配置による偏荷重の発生防止を考慮した状況を示したものである。
【００１３】
図５は図８ｃの部分の継手連設状況を拡大させたものであるが、伸長脚材及び波型形状脚材（図１）において、同脚材（図１）からの荷重と継手部材を通して伸長脚材から作用する応力が、バランスの取れた状態を維持させるため両脚材の構造を近似形状にし、また継手部材に同じ差し込み長さで支持させている状況を示したものである。伸長脚材は、同脚材（図１）と基本的に同様な構造の脚材であるため詳細は省略するが、全体図の図８ｂの部分を示すものである。
【００１４】
図６で示す継手固定枠材は、段ボール又は厚紙製の平板形状材で作成し、継手部材の形状保持を目的とした継手部材補助機能及び脚中部の帯板機能を合わせもつ特徴を有する。これは厚みによる強度を十分考慮し、継手部材及び伸長脚材の両部材外周に接する位置に、同伸長脚材下部から複数枚接面するよう重ねて配置するもので、全体図の図８ｄの部分を示すものである。
【００１５】
そして、全体の脚高さ伸長の調整を目的とする別途部材は、前記３つの基本構成部材のみによる組立椅子の脚材（図１）下部に、加えて継手部材、伸長脚材、継手固定枠材そして、伸長脚材下部補強のための図３と同様な目的と形状を有する帯板面材（全体図の図８ｅの部分）の順序で１折づつ差し込み、位置させて全体を組立ることにより一体化した剛性構造を形成するものである。さらに、継手部材、伸長脚材、継手固定枠材及び伸長脚材下部補強のための図３と同様な目的と形状を有する帯板面材の計４部材は、１つのコンパクトな梱包にする設計にことより、３つの基本構成部材である波型形状脚材（図１）、座板及び帯板面材のコンパクトな梱包と同様な携帯性の特徴を有するものである。
【発明の効果】
【００１６】
以上述べたように、本発明の組立椅子は段ボール又は厚紙製の板形状材において、山折、谷折の交互に折り曲げ、波型形状にすることで１面性から多面の方向性を持たせ、座屈耐荷重の向上させた波型形状の脚材（図１）を座板の溝に差し込むなどの簡単な構造であるが、携帯しやすいコンパクト梱包であることから、場所又は会場の特定しない幅広い機会において、個別に短時間の休憩を手軽に取りたい場合など有効なものである。またコンパクトなので使い捨ての時、もとの形状に戻して処分すれば、ごみ容量の軽減化にも有効である。
【００１７】
そして、全体の脚高さ伸長の調整機能用別途部材（継手部材、伸長脚材、継手固定枠材及び伸長脚材下部補強のための図３と同様な目的と形状を有する帯板面材の計４部材）は、長寿社会のご年配者から働き盛りの中高年者、小学生などの幅広い世代の伸長格差があっても利用しやすく、３つの基本構成部材のみによる組立椅子と同様な１つのコンパクト梱包なので持ち運びに便利で、同時に最終ゴミ処分の軽減化にも配慮したものである。
【００１８】
したがって、上記調整機能用別途部材による継手構造は、仮設的な段ボール又は厚紙製のテーブル、ベッド、机等の脚部及び支柱高さ調整利用にも有効である。そして、脚部伸長調整機能を持たせるには厳しい材質の段ボール又は厚紙でありながら可能にしたことは、今後の同製品開発に有効なものである。
【図面の簡単な説明】
【図１】山折、谷折の交互に折り曲げた波型形状の脚材部分の説明図である。
【図２】座板の形状及び溝状況を示す説明図である。
【図３】通常は椅子の帯板の役割部分であるが面状で使用することから名称を帯板面材とした脚材下部の形状補強部材について、形状及び切欠き状況を示す説明図である。
【図４】全体の脚高さ伸長の調整を行うための継手部材を示す説明図である。
【図５】全体の脚高さ伸長の調整として両脚材を、考案した継手部材にそれぞれ脚（縦）方向に差し込んだ連設構造の細部状況を示す説明図である。
【図６】継手固定枠材の重ねた配置状況を示す説明図である。
【図７】３つの基本構成部材のみによる組立椅子の全体を示す説明図である。
【図８】３つの基本構成部材に、全体の脚高さ伸長の調整機能用別途部材を加えた組立椅子の全体を示す説明図である（平面、側面の各図面は図７と同様のため省略）。
【図９】継手部材（図４）の使用位置及び形状を平面的に示す簡易説明図である。
【図１０】３つの基本構成部材のコンパクトな梱包状態を示す説明図である（全体の脚高さ伸長の調整機能用別途部材も、１つのコンパクトな梱包図１０に準ずる梱包）。
【図１１】伸長脚材下部補強のための図３と同様な目的と形状を有する帯板面材の切欠き形状を平面的に示す簡易説明図である（詳細は図３の帯板面材と同様のため省略）。
【符号の説明】
ａ  図７及び図８全体図で示す山折、谷折の交互に折り曲げた波型形状の脚材（図１）
ｂ  図８全体図で示す伸長脚材
ｃ  図８全体図で示す連設構造（図５）
ｄ  図８全体図で示す継手固定枠材（図６）
ｅ  図８全体図で示す伸長脚材下部補強のための帯板面材
【図１】
2004357911.tif 000003
【図２】
2004357911.tif 000004
【図３】
2004357911.tif 000005
【図４】
2004357911.tif 000006
【図５】
2004357911.tif 000007
【図６】
2004357911.tif 000008
【図７】
2004357911.tif 000009
【図８】
2004357911.tif 000010
【図９】
2004357911.tif 000011
【図１０】
2004357911.tif 000012
【図１１】
2004357911.tif 000013